【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】
配列番号：２３で表わされるアミノ酸配列の第１９番目〜１３６番目のアミノ酸配列と同一もしくは実質的に同一のアミノ酸配列を含有することを特徴とする分泌蛋白質、そのアミドもしくはそのエステルまたはその塩。
【請求項２】
配列番号：２３で表わされるアミノ酸配列の第１９番目〜１３６番目のアミノ酸配列からなる分泌蛋白質、そのアミドもしくはそのエステルまたはその塩。
【請求項３】
配列番号：２３で表わされるアミノ酸配列の第２６番目〜８８番目のアミノ酸配列、第８０番目〜８８番目のアミノ酸配列、第９１番目〜１３３番目のアミノ酸配列または第１２７番目〜１３３番目のアミノ酸配列と同一もしくは実質的に同一のアミノ酸配列を含有することを特徴とするペプチド、そのアミドもしくはそのエステルまたはその塩。
【請求項４】
配列番号：２３で表わされるアミノ酸配列の第２６番目〜８８番目のアミノ酸配列、第８０番目〜８８番目のアミノ酸配列、第９０番目〜１３３番目のアミノ酸配列、第９１番目〜１３３番目のアミノ酸配列、第９３番目〜１３３番目のアミノ酸配列、第１０４番目〜１３３番目のアミノ酸配列、第１０８番目〜１３３番目のアミノ酸配列、第１０９番目〜１３３番目のアミノ酸配列、第１１１番目〜１３３番目のアミノ酸配列、第１１５番目〜１３３番目のアミノ酸配列、第１１９番目〜１３３番目のアミノ酸配列、第１２４番目〜１３３番目のアミノ酸配列、第１２６番目〜１３３番目または第１２７番目〜１３３番目のアミノ酸配列からなるペプチド、そのアミドもしくはそのエステルまたはその塩。
【請求項５】
請求項１記載の分泌蛋白質または請求項３記載のペプチドの部分ペプチド、そのアミドもしくはそのエステルまたはその塩。
【請求項６】
請求項１記載の分泌蛋白質または請求項３記載のペプチドの前駆体蛋白質、そのアミドもしくはそのエステルまたはその塩。
【請求項７】
配列番号：２３で表わされるアミノ酸配列と同一もしくは実質的に同一のアミノ酸配列を含有することを特徴とする請求項６記載の前駆体蛋白質またはその塩。
【請求項８】
配列番号：２３で表わされるアミノ酸配列からなる請求項７記載の前駆体蛋白質、そのアミドもしくはそのエステルまたはその塩。
【請求項９】
請求項１記載の分泌蛋白質をコードするポリヌクレオチドを含有するポリヌクレオチド。
【請求項１０】
配列番号：２４で表わされる塩基配列の第５５番目〜４０８番目の塩基配列からなる請求項９記載のポリヌクレオチド。
【請求項１１】
請求項３記載のペプチドをコードするポリヌクレオチドを含有するポリヌクレオチド。
【請求項１２】
配列番号：２４で表わされる塩基配列の第７６番目〜２６４番目の塩基配列、第２３８番目〜２６４番目、第２７１番目〜３９９番目または第３７９番目〜３９９番目の塩基配列からなる請求項１１記載のポリヌクレオチド。
【請求項１３】
請求項５記載の部分ペプチドをコードするポリヌクレオチドを含有するポリヌクレオチド。
【請求項１４】
請求項７記載の前駆体蛋白質をコードするポリヌクレオチドを含有するポリヌクレオチド。
【請求項１５】
配列番号：２４で表わされる塩基配列からなる請求項１４記載のポリヌクレオチド。
【請求項１６】
請求項１記載の分泌蛋白質または請求項３記載のペプチド、その部分ペプチドまたはその前駆体蛋白質、またはそのアミドもしくはそのエステルまたはその塩に対する抗体。
【請求項１７】
請求項１記載の分泌蛋白質または請求項３記載のペプチド、その部分ペプチドまたはその前駆体蛋白質、またはそのアミドもしくはそのエステルまたはその塩の活性を不活性化する中和抗体である請求項１６記載の抗体。
【請求項１８】
請求項１記載の分泌蛋白質または請求項３記載のペプチド、その部分ペプチドまたはその前駆体蛋白質、またはそのアミドもしくはそのエステルまたはその塩を用いることを特徴とする請求項１記載の分泌蛋白質または請求項３記載のペプチド、その部分ペプチドまたはその前駆体蛋白質、またはそのアミドもしくはそのエステルまたはその塩の機能を促進または阻害する化合物またはその塩のスクリーニング方法。
【請求項１９】
請求項１記載の分泌蛋白質または請求項３記載のペプチド、その部分ペプチドまたはその前駆体蛋白質、またはそのアミドもしくはそのエステルまたはその塩の機能または発現を促進または阻害する化合物またはその塩を含有してなる医薬。
【請求項２０】
請求項９〜１５のいずれかに記載のポリヌクレオチドを用いることを特徴とする請求項１記載の分泌蛋白質または請求項３記載のペプチド、その部分ペプチドまたはその前駆体蛋白質、またはそのアミドもしくはそのエステルまたはその塩の発現を促進または阻害する化合物またはその塩のスクリーニング方法。
【請求項２１】
配列番号：２７で表わされるアミノ酸配列の第１８番目〜１２４番目のアミノ酸配列と同一もしくは実質的に同一のアミノ酸配列を含有することを特徴とする分泌蛋白質、そのアミドもしくはそのエステルまたはその塩。
【請求項２２】
配列番号：２７で表わされるアミノ酸配列の第１８番目〜１２４番目のアミノ酸配列からなる分泌蛋白質、そのアミドもしくはそのエステルまたはその塩。
【請求項２３】
配列番号：２７で表わされるアミノ酸配列の第１１５番目〜１２２番目のアミノ酸配列または第１１６番目〜１２２番目のアミノ酸配列と同一もしくは実質的に同一のアミノ酸配列を含有することを特徴とするペプチド、そのアミドもしくはそのエステルまたはその塩。
【請求項２４】
配列番号：２７で表わされるアミノ酸配列の第１１５番目〜１２２番目のアミノ酸配列または第１１６番目〜１２２番目のアミノ酸配列からなるペプチド、そのアミドもしくはそのエステルまたはその塩。
【請求項２５】
請求項２１記載の分泌蛋白質または請求項２３記載のペプチドの部分ペプチド、そのアミドもしくはそのエステルまたはその塩。
【請求項２６】
請求項２１記載の分泌蛋白質または請求項２３記載のペプチドの前駆体蛋白質、そのアミドもしくはそのエステルまたはその塩。
【請求項２７】
配列番号：２７で表わされるアミノ酸配列と同一もしくは実質的に同一のアミノ酸配列を含有することを特徴とする請求項２６記載の前駆体蛋白質またはその塩。
【請求項２８】
配列番号：２７で表わされるアミノ酸配列からなる請求項２７記載の前駆体蛋白質、そのアミドもしくはそのエステルまたはその塩。
【請求項２９】
請求項２１記載の分泌蛋白質をコードするポリヌクレオチドを含有するポリヌクレオチド。
【請求項３０】
配列番号：２８で表わされる塩基配列の第５２番目〜３７２番目の塩基配列からなる請求項２９記載のポリヌクレオチド。
【請求項３１】
請求項２３記載のペプチドをコードするポリヌクレオチドを含有するポリヌクレオチド。
【請求項３２】
配列番号：２８で表わされる塩基配列の第３４３番目〜３６６番目の塩基配列または第３４６番目〜３６６番目の塩基配列からなる請求項３１記載のポリヌクレオチド。
【請求項３３】
請求項２５記載の部分ペプチドをコードするポリヌクレオチドを含有するポリヌクレオチド。
【請求項３４】
請求項２７記載の前駆体蛋白質をコードするポリヌクレオチドを含有するポリヌクレオチド。
【請求項３５】
配列番号：２８で表わされる塩基配列からなる請求項３４記載のポリヌクレオチド。
【請求項３６】
請求項２１記載の分泌蛋白質または請求項２３記載のペプチド、その部分ペプチドまたはその前駆体蛋白質、またはそのアミドもしくはそのエステルまたはその塩に対する抗体。
【請求項３７】
請求項２１記載の分泌蛋白質または請求項２３記載のペプチド、その部分ペプチドまたはその前駆体蛋白質、またはそのアミドもしくはそのエステルまたはその塩の活性を不活性化する中和抗体である請求項３６記載の抗体。
【請求項３８】
請求項２１記載の分泌蛋白質または請求項２３記載のペプチド、その部分ペプチドまたはその前駆体蛋白質、またはそのアミドもしくはそのエステルまたはその塩を用いることを特徴とする請求項２１記載の分泌蛋白質または請求項２３記載のペプチド、その部分ペプチドまたはその前駆体蛋白質、またはそのアミドもしくはそのエステルまたはその塩の機能を促進または阻害する化合物またはその塩のスクリーニング方法。
【請求項３９】
請求項２１記載の分泌蛋白質または請求項２３記載のペプチド、その部分ペプチドまたはその前駆体蛋白質、またはそのアミドもしくはそのエステルまたはその塩の機能または発現を促進または阻害する化合物またはその塩を含有してなる医薬。
【請求項４０】
請求項２９〜３５のいずれかに記載のポリヌクレオチドを用いることを特徴とする請求項２１記載の分泌蛋白質または請求項２３記載のペプチド、その部分ペプチドまたはその前駆体蛋白質、またはそのアミドもしくはそのエステルまたはその塩の発現を促進または阻害する化合物またはその塩のスクリーニング方法。
【請求項４１】
配列番号：３８で表わされるアミノ酸配列の第１８番目〜１２４番目のアミノ酸配列と同一もしくは実質的に同一のアミノ酸配列を含有することを特徴とする分泌蛋白質、そのアミドもしくはそのエステルまたはその塩。
【請求項４２】
配列番号：３８で表わされるアミノ酸配列の第１８番目〜１２４番目のアミノ酸配列からなる分泌蛋白質、そのアミドもしくはそのエステルまたはその塩。
【請求項４３】
配列番号：３８で表わされるアミノ酸配列の第１１５番目〜１２２番目のアミノ酸配列または第１１６番目〜１２２番目のアミノ酸配列と同一もしくは実質的に同一のアミノ酸配列を含有することを特徴とするペプチド、そのアミドもしくはそのエステルまたはその塩。
【請求項４４】
配列番号：３８で表わされるアミノ酸配列の第１１５番目〜１２２番目のアミノ酸配列または第１１６番目〜１２２番目のアミノ酸配列からなるペプチド、そのアミドもしくはそのエステルまたはその塩。
【請求項４５】
請求項４１記載の分泌蛋白質または請求項４３記載のペプチドの部分ペプチド、そのアミドもしくはそのエステルまたはその塩。
【請求項４６】
請求項４１記載の分泌蛋白質または請求項４３記載のペプチドの前駆体蛋白質、そのアミドもしくはそのエステルまたはその塩。
【請求項４７】
配列番号：３８で表わされるアミノ酸配列と同一もしくは実質的に同一のアミノ酸配列を含有することを特徴とする請求項４６記載の前駆体蛋白質またはその塩。
【請求項４８】
配列番号：３８で表わされるアミノ酸配列からなる請求項４７記載の前駆体蛋白質、そのアミドもしくはそのエステルまたはその塩。
【請求項４９】
請求項４１記載の分泌蛋白質をコードするポリヌクレオチドを含有するポリヌクレオチド。
【請求項５０】
配列番号：３９で表わされる塩基配列の第５２番目〜３７２番目の塩基配列からなる請求項４９記載のポリヌクレオチド。
【請求項５１】
請求項４３記載のペプチドをコードするポリヌクレオチドを含有するポリヌクレオチド。
【請求項５２】
配列番号：３９で表わされる塩基配列の第３４３番目〜３６６番目の塩基配列または第３４６番目〜３６６番目の塩基配列からなる請求項５１記載のポリヌクレオチド。
【請求項５３】
請求項４５記載の部分ペプチドをコードするポリヌクレオチドを含有するポリヌクレオチド。
【請求項５４】
請求項４７記載の前駆体蛋白質をコードするポリヌクレオチドを含有するポリヌクレオチド。
【請求項５５】
配列番号：３９で表わされる塩基配列からなる請求項５４記載のポリヌクレオチド。
【請求項５６】
請求項４１記載の分泌蛋白質または請求項４３記載のペプチド、その部分ペプチドまたはその前駆体蛋白質、またはそのアミドもしくはそのエステルまたはその塩に対する抗体。
【請求項５７】
請求項４１記載の分泌蛋白質または請求項４３記載のペプチド、その部分ペプチドまたはその前駆体蛋白質、またはそのアミドもしくはそのエステルまたはその塩の活性を不活性化する中和抗体である請求項５６記載の抗体。
【請求項５８】
請求項４１記載の分泌蛋白質または請求項４３記載のペプチド、その部分ペプチドまたはその前駆体蛋白質、またはそのアミドもしくはそのエステルまたはその塩を用いることを特徴とする請求項４１記載の分泌蛋白質または請求項４３記載のペプチド、その部分ペプチドまたはその前駆体蛋白質、またはそのアミドもしくはそのエステルまたはその塩の機能を促進または阻害する化合物またはその塩のスクリーニング方法。
【請求項５９】
請求項４１記載の分泌蛋白質または請求項４３記載のペプチド、その部分ペプチドまたはその前駆体蛋白質、またはそのアミドもしくはそのエステルまたはその塩の機能または発現を促進または阻害する化合物またはその塩を含有してなる医薬。
【請求項６０】
請求項４９〜５５のいずれかに記載のポリヌクレオチドを用いることを特徴とする請求項４１記載の分泌蛋白質または請求項４３記載のペプチド、その部分ペプチドまたはその前駆体蛋白質、またはそのアミドもしくはそのエステルまたはその塩の発現を促進または阻害する化合物またはその塩のスクリーニング方法。
【請求項６１】
配列番号：４２で表わされるアミノ酸配列の第１８番目〜１３４番目のアミノ酸配列と同一もしくは実質的に同一のアミノ酸配列を含有することを特徴とする分泌蛋白質、そのアミドもしくはそのエステルまたはその塩。
【請求項６２】
配列番号：４２で表わされるアミノ酸配列の第１８番目〜１３１番目のアミノ酸配列からなる分泌蛋白質、そのアミドもしくはそのエステルまたはその塩。
【請求項６３】
配列番号：４２で表わされるアミノ酸配列の第１２５番目〜１３１番目のアミノ酸配列と同一もしくは実質的に同一のアミノ酸配列を含有することを特徴とするペプチド、そのアミドもしくはそのエステルまたはその塩。
【請求項６４】
配列番号：４２で表わされるアミノ酸配列の第１２５番目〜１３１番目のアミノ酸配列または第１２４番目〜１３１番目のアミノ酸配列からなるペプチド、そのアミドもしくはそのエステルまたはその塩。
【請求項６５】
請求項６１記載の分泌蛋白質または請求項６３記載のペプチドの部分ペプチド、そのアミドもしくはそのエステルまたはその塩。
【請求項６６】
請求項６１記載の分泌蛋白質または請求項６３記載のペプチドの前駆体蛋白質、そのアミドもしくはそのエステルまたはその塩。
【請求項６７】
配列番号：４２で表わされるアミノ酸配列と同一もしくは実質的に同一のアミノ酸配列を含有することを特徴とする請求項６６記載の前駆体蛋白質またはその塩。
【請求項６８】
配列番号：４２で表わされるアミノ酸配列からなる請求項６７記載の前駆体蛋白質、そのアミドもしくはそのエステルまたはその塩。
【請求項６９】
請求項６１記載の分泌蛋白質をコードするポリヌクレオチドを含有するポリヌクレオチド。
【請求項７０】
配列番号：４３で表わされる塩基配列の第５２番目〜４０２番目の塩基配列からなる請求項６９記載のポリヌクレオチド。
【請求項７１】
請求項６３記載のペプチドをコードするポリヌクレオチドを含有するポリヌクレオチド。
【請求項７２】
配列番号：４３で表わされる塩基配列の第３７３番目〜３９３番目の塩基配列または第３７０番目〜３９３番目の塩基配列からなる請求項７１記載のポリヌクレオチド。
【請求項７３】
請求項６５記載の部分ペプチドをコードするポリヌクレオチドを含有するポリヌクレオチド。
【請求項７４】
請求項６７記載の前駆体蛋白質をコードするポリヌクレオチドを含有するポリヌクレオチド。
【請求項７５】
配列番号：４３で表わされる塩基配列からなる請求項７４記載のポリヌクレオチド。
【請求項７６】
請求項６１記載の分泌蛋白質または請求項６３記載のペプチド、その部分ペプチドまたはその前駆体蛋白質、またはそのアミドもしくはそのエステルまたはその塩に対する抗体。
【請求項７７】
請求項６１記載の分泌蛋白質または請求項６３記載のペプチド、その部分ペプチドまたはその前駆体蛋白質、またはそのアミドもしくはそのエステルまたはその塩の活性を不活性化する中和抗体である請求項７６記載の抗体。
【請求項７８】
請求項６１記載の分泌蛋白質または請求項６３記載のペプチド、その部分ペプチドまたはその前駆体蛋白質、またはそのアミドもしくはそのエステルまたはその塩を用いることを特徴とする請求項６１記載の分泌蛋白質または請求項６３記載のペプチド、その部分ペプチドまたはその前駆体蛋白質、またはそのアミドもしくはそのエステルまたはその塩の機能を促進または阻害する化合物またはその塩のスクリーニング方法。
【請求項７９】
請求項６１記載の分泌蛋白質または請求項６３記載のペプチド、その部分ペプチドまたはその前駆体蛋白質、またはそのアミドもしくはそのエステルまたはその塩の機能または発現を促進または阻害する化合物またはその塩を含有してなる医薬。
【請求項８０】
請求項６９〜７５のいずれかに記載のポリヌクレオチドを用いることを特徴とする請求項６１記載の分泌蛋白質または請求項６３記載のペプチド、その部分ペプチドまたはその前駆体蛋白質、またはそのアミドもしくはそのエステルまたはその塩の発現を促進または阻害する化合物またはその塩のスクリーニング方法。
【請求項８１】
配列番号：３１で表わされるアミノ酸配列と同一もしくは実質的に同一のアミノ酸配列を含有することを特徴とするＧ蛋白質共役型レセプター蛋白質、その部分ペプチドまたはその塩を含有してなる摂食調節剤、睡眠調節剤、覚醒調節剤、痛覚調節剤、ストレス応答調節剤、自発行動調節剤または情動行動調節剤。
【請求項８２】
配列番号：３１で表わされるアミノ酸配列と同一もしくは実質的に同一のアミノ酸配列を含有することを特徴とするＧ蛋白質共役型レセプター蛋白質またはその部分ペプチドをコードするポリヌクレオチドを含有するポリヌクレオチドを含有してなる
摂食調節剤、睡眠調節剤、覚醒調節剤、痛覚調節剤、ストレス応答調節剤、自発行動調節剤または情動行動調節剤。
【請求項８３】
配列番号：３１で表わされるアミノ酸配列と同一もしくは実質的に同一のアミノ酸配列を含有することを特徴とするＧ蛋白質共役型レセプター蛋白質、その部分ペプチドまたはその塩に対する抗体を含有してなる摂食調節剤、睡眠調節剤、覚醒調節剤、痛覚調節剤、ストレス応答調節剤、自発行動調節剤または情動行動調節剤。
【請求項８４】
配列番号：３１で表わされるアミノ酸配列と同一もしくは実質的に同一のアミノ酸配列を含有することを特徴とするＧ蛋白質共役型レセプター蛋白質またはその部分ペプチドをコードするポリヌクレオチドと相補的な塩基配列またはその一部を含有してなるアンチセンスポリヌクレオチドを含有してなる摂食調節剤、睡眠調節剤、覚醒調節剤、痛覚調節剤、ストレス応答調節剤、自発行動調節剤または情動行動調節剤。
【請求項８５】
配列番号：３１で表わされるアミノ酸配列と同一もしくは実質的に同一のアミノ酸配列を含有することを特徴とするＧ蛋白質共役型レセプター蛋白質、その部分ペプチドまたはその塩の機能を促進または阻害する化合物またはその塩を含有してなる摂食調節剤、睡眠調節剤、覚醒調節剤、痛覚調節剤、ストレス応答調節剤、自発行動調節剤または情動行動調節剤。
【請求項８６】
配列番号：３１で表わされるアミノ酸配列と同一もしくは実質的に同一のアミノ酸配列を含有することを特徴とするＧ蛋白質共役型レセプター蛋白質またはその部分ペプチドの発現を促進または阻害する化合物またはその塩を含有してなる摂食調節剤、睡眠調節剤、覚醒調節剤、痛覚調節剤、ストレス応答調節剤、自発行動調節剤または情動行動調節剤。